(57)【要約】【課題】簡単な構成で所定の大きさ以上のウニ類の移動を効率よく阻止できるようにする。【解決手段】径が略０．５〜３．５ｍｍの耐食性を有する硬い棒７を、相互の隙間を略７ｍｍから移動を阻止したい大きさのウニ類１２の殻高より狭い隙間にすると共に、移動を阻止する側へ傾斜し、さらに突出長さを短くとも上記ウニ類の殻長の２分の１に側方へ出ている１番長い棘の長さを足し、それに略１０ｍｍ加えた長さにして列状に多数立設してなる移動阻止手段にて所定の区域を囲み、この移動阻止手段の棒の傾斜した側の区域から他側の区域へのウニ類の移動を阻止するようにした。【選択図】図１
2008173059.tif 000002
【特許請求の範囲】
【請求項１】
径が０．５〜３．５ｍｍの耐食性を有する硬い棒を、相互の隙間を略７ｍｍから移動を阻止したい大きさのウニ類の殻高より狭い隙間にすると共に、移動を阻止する側へ傾斜し、さらに突出長さを短くとも上記ウニ類の殻長の２分の１に側方へ出ている１番長い棘の長さを足し、それに略１０ｍｍ加えた長さにして列状に多数立設してなる移動阻止手段にて所定の区域を囲み、
この移動阻止手段の棒の傾斜した側の区域から他側の区域へのウニ類の移動を阻止するようにした
ことを特徴とするウニ類の移動阻止方法。
【請求項２】
移動阻止手段の棒の傾斜した側を外側にして、内側に設けた藻場への所定以上の大きさのウニ類の移動を阻止するようにし、または棒の傾斜した側を内側にして内側に設けたウニ類の増養殖場から所定以上の大きさのウニ類が外側へ移動するのを阻止するようにしたことを特徴とする請求項１記載のウニ類の移動阻止方法。
【請求項３】
径が０．５〜３．５ｍｍの耐食性を有する硬い棒を、相互の隙間を略７ｍｍから移動を阻止したいウニ類の殻高より狭い隙間にすると共に、移動を阻止する側へ傾斜し、さらに突出長さを短くとも上記ウニ類の殻長の２分の１に側方へ出ている１番長い棘の長さを足し、それに略１０ｍｍ加えた長さにして列状に多数立設してなり、所定の区域を囲むようにした
ことを特徴とするウニ類の移動阻止装置。
【請求項４】
棒を海底に設置する藻場造成礁、あるいはウニ類の増養殖場に立設したことを特徴とする請求項３記載のウニ類の移動阻止装置。
【請求項５】
基体の上面あるいは側面に、径が略０．５〜３．５ｍｍの耐食性を有する硬い棒を、相互の隙間を略７ｍｍから移動を阻止したいウニ類の殻高より狭い隙間にすると共に、ウニ類の移動を阻止する側へ傾斜し、さらに突出長さを短くとも上記ウニ類の殻長の２分の１に側方へ出ている１番長い棘の長さを足し、それに略１０ｍｍ加えた長さにして列状に多数立設してなる移動阻止器具にて所定の区域を囲むようにした
ことを特徴とするウニ類の移動阻止装置。
【請求項６】
移動阻止器具を複数の帯状移動阻止器具にて構成したことを特徴とする請求項５記載のウニ類の移動阻止装置。
【発明の詳細な説明】
【技術分野】
【０００１】
本発明は、海底において、所定の場所の周囲からこの所定の場所へ、あるいは所定の場所から周囲の場所へのウニ類の移動を阻止するウニ類の移動阻止方法及びその装置に関するものである。
【背景技術】
【０００２】
棘皮動物に属するウニ類（ムラサキウニ、アカウニ、バフンウニ、コシダカウニ、ガンガセ等ウニの仲間）は硬い殻を持ち、その表面に多数の棘と管足を有しており、棘はその根元から幅広い角度範囲に可動であり、また管足は柔軟でその先端に吸盤を有していて、それらを用いて匍匐行動を行う。そしてこのウニ類は海藻類を餌料としており、近年世界的に見られる、いわゆる「磯焼け」の発生、及びこれを持続させることに関与しているとされている主要な動物として挙げられる。
【０００３】
磯焼けが発生する原因は様々で、各地先においてその発生、持続要因は異なると考えられているが、例えばウニ類の過剰な密度での生息が見られる国内各地（主に北海道日本海側や東北地方太平洋側）や世界各地（例えばカリフォルニア沿岸）では、ウニ類による過剰な摂食圧がそれらの地先において見られる磯焼け海域を発生、持続させる主な原因であると指摘されている。
【０００４】
実際に北海道のある磯焼け海域において、ウニ類の除去を継続して行ったところ、その海域において小型１年生海藻、大型１年生海藻、大型多年生海藻の順に生育が確認され、藻場が復元されたということが知られている。このことからウニ類の行動範囲を制限して、このウニ類による摂食圧を制御するための効率的な手段の開発が、海藻群落の復元には重要であると考えられる。そしてこのウニ類による過剰な摂食圧を制御することができれば、今まで困難であった海藻群落の復元が可能となるだけではなく、その後の復元して繁茂する海藻を餌料にするウニ類、さらにはアワビ類の磯根資源の増大を導くことができ、それに加えて海藻群落が形成されることにより、そこを生息場所や隠れ場、産卵場所、餌料とする多種多様な魚介類においても好都合となり、結果として資源量の増加、沿岸漁業資源に大きく貢献する。また、ひいては海藻が持つ炭素固定能力や水質浄化作用により、地球温暖化などの地球環境問題の改善の一助ともなる。
【０００５】
このような背景の中で、これまで海藻群落を復元することを目的に、ウニ類の行動範囲、もしくはウニ類による過剰な摂食圧を制限するための技術開発が数多く試みられてきた。しかしウニ類は、棘や管足を用いて非常に高い移動能力を持つため、その行動範囲や摂食圧の制御は非常に困難であった。
【０００６】
以下に、この種の方法や装置の従来技術を示す。
【０００７】
（１）網を棒状に丸め、これに重石となるチェーンを添着して沈降させ、ウニの侵入を排除すべき海底、もしくは施設を囲むようにしている（特許文献１参照）。これはウニ類が生態的に不安定な足場を嫌がる性質を利用したもので、波によって棒網の一部が揺動することによってウニ類がこれを乗り越えるのを防ぐようにしたものである。
【０００８】
（２）空気を封入した逆Ｕ字溝を備えた衝壁物や空気層を蓄えた器具をウニ類の歩行を遮断しようとする位置に設置する（特許文献２参照）。これはウニ類は空気層中に這い上がることができない性質を利用したものである。
【０００９】
（３）ウニ類の侵入を防止すべき施設の脚部や外壁の周囲にウニ類がくぐり抜けることができず、またウニ類の管足が届かない程度の間隔を空けて、細い丸棒を軸にして回転自在に珠を数珠のように連結してなる輪状の器具を設け、この器具を越えて上記施設へ這い上がることができないようにしたものがある（特許文献３参照）。
【００１０】
【特許文献１】特開平１０−４８０８号公報
【特許文献２】特開昭６２−１６６８２６号公報
【特許文献３】特開２００５−９５０６２号公報
【発明の開示】
【発明が解決しようとする課題】
【００１１】
上記した従来の技術において、特許文献１に記載されたものにあっては、棒網を海底に係留するチェーンによって棒網と海底との間に隙間ができ、この隙間からウニ類が侵入し、また設置後時間が経過すると波による揺動によって棒網が劣化したり、網地に生物が付着することにより、棒網自体の防乗り越え機能が低下する等の問題がある。
【００１２】
また、特許文献２に記載されたものにあっては、逆Ｕ字溝などの空間に溜められた空気が海水中にとけ込むことや、波浪などによる揺動によって流失して、上記逆Ｕ字溝内の空気が失われやすく、そのためそれを補うために、逆Ｕ字溝の空間への定期的な送気が必要となり、コストがかさむという問題がある。
【００１３】
さらに特許文献３に記載されたものにあっては、施設の設置後、回転体に付着生物が付くことにより、ウニ類の侵入を防ぐのに必要な回転運動が阻害されて、経時的にウニ類の侵入防止機能が低下するという問題があった。
【００１４】
本発明は上記のことに鑑みなされたもので、簡単な構成で所定の大きさ以上のウニ類の移動を効率よく阻止することができ、所定の大きさ以上のウニ類の侵入を排除すべき海藻群落への侵入、あるいはウニ類の増養殖場からの逃げ出しを有効に防ぐことができるようにしたウニ類の移動阻止方法及びその装置を提供しようとするものである。
【課題を解決するための手段】
【００１５】
上記目的を達成するために、本発明に係るウニ類の移動阻止方法は、径が０．５〜３．５ｍｍの耐食性を有する硬い棒を、相互の隙間を略７ｍｍから移動を阻止したい大きさのウニ類の殻高より狭い隙間にすると共に、移動を阻止する側へ傾斜し、さらに突出長さを短くとも上記ウニ類の殻長の２分の１に側方へ出ている１番長い棘の長さを足し、それに略１０ｍｍ加えた長さにして列状に多数立設してなる移動阻止手段にて所定の区域を囲み、この移動阻止手段の棒の傾斜した側の区域から他側の区域へのウニ類の移動を阻止するようにした。
【００１６】
また、このウニ類の移動阻止方法において、移動阻止手段の棒の傾斜した側を外側にして、内側に設けた藻場への所定以上の大きさのウニ類の移動を阻止するようにし、または棒の傾斜した側を内側にして内側に設けたウニ類の増養殖場から所定以上の大きさのウニ類が外側へ移動するのを阻止するようにした。
【００１７】
そして上記方法を実施するためのウニ類の移動阻止装置は、径が略０．５〜３．５ｍｍの耐食性を有する硬い棒を、相互の隙間を略７ｍｍから移動を阻止したいウニ類の殻高より狭い隙間にすると共に、移動を阻止する側へ傾斜し、さらに突出長さを短くとも上記ウニ類の殻長の２分の１に側方へ出ている１番長い棘の長さを足し、それに略１０ｍｍ加えた長さにして列状に多数立設してなり、所定の区域を囲むようにした構成になっている。
【００１８】
そして、このウニ類の移動阻止装置において、棒を海底に設置する藻場造成礁、あるいはウニ類の増養殖場に立設した。
【００１９】
また、上記ウニ類の移動阻止装置は、基体の上面あるいは側面に、径が略０．５〜３．５ｍｍの耐食性を有する硬い棒を、相互の隙間を略７ｍｍから移動を阻止したいウニ類の殻高より狭い隙間にすると共に、ウニ類の移動を阻止する側へ傾斜し、さらに突出長さを短くとも上記ウニ類の殻長の２分の１に側方へ出ている１番長い棘の長さを足し、それに略１０ｍｍ加えた長さにして列状に多数立設してなる移動阻止器具にて所定の区域を囲むようにした構成になっている。そして上記移動阻止器具を複数の帯状移動阻止器具にて構成した。
【発明の効果】
【００２０】
本発明によれば、簡単な構成で所定の大きさ以上のウニ類の移動を阻止することができ、所定の大きさ以上のウニ類の侵入を排除すべき海藻群落への侵入、あるいはウニ類の増養殖場からの逃げ出しを有効に防ぐことができる。
【００２１】
ウニ類の侵入を阻止すべき海藻群落を造成するコンクリートブロック等の藻場造成礁や海底の所定の区域に侵入しようとするウニ類は、細くて硬い棒が整列しているところまではたどり着き、その棒に接することはできるが、この整列した棒が侵入を阻止しようとする側に傾斜していて、侵入しようとするウニ類にとって仰角となっているため、この整列した棒の先端を乗り越えてその向こう側（海藻群落を造成する場所や部位）に行くことはできない。
【００２２】
これはウニ類の移動は（１）棘の角度を変えることによる体の姿勢（角度）の変更、保持と、（２）管足を進行方向にのばし、その先端にある吸盤で対象物をつかみ、そのまま管足を萎縮させることによって自身の体を進行方向に引っぱり寄せる方法によってなされているためである。
【００２３】
また、ウニ類は細い棒を管足によって掴むことができ、狭い隙間をくぐり抜ける際に、体の幅が最も小さくなるように体の角度を操作すると共に、この管足を横倒しにすることによって、狭い隙間を分け入るように器用にくぐり抜けることができるが、本発明のように所定の大きさのウニ類の体の幅が最も小さい殻高以下の隙間しかあけずに整列した棒の間を、この所定の大きさ以上のウニ類は分け入るようにくぐり抜けることができない。
【００２４】
また、その整列した棒の向こう側に行くために整列した棒を乗り越えようと、棒の向こう側の面を管足の先端の吸盤によって掴み、管足を萎縮させても、棒はその径が０．５〜３．５ｍｍと十分細いため、その管足は棒の先端に引っかからず、整列した棒と棒の間を通って棒の向こう側の面を掴んでいる状態になってしまうため、ウニ類がくぐり抜けることができない隙間で整列している棒の向こう側へウニ類自身が乗り越えて行くことができない。また、上記したように棒７は十分細いため、棒７の先端面を管足にてつかむことができないことも、ウニ類が移動阻止器具を乗り越えられない理由の１つである。これによって、本発明に係るウニ類の移動阻止方法及びその装置では、所定の大きさ以上のウニ類の所定の区域への移動を阻止することができる。
【００２５】
ウニ類は波動流がある程度以上の強さになると、摂食活動が制限されるということからわかるように、強い流れを避ける性質があることは周知の事実である。ウニ類が本発明装置を越えようとするときに、整列して並んでいる棒部分を乗り越えなければならないが、その際、ウニ類と棒部分の接触部位は平面上にいるときに比べて非常に少なくなる。そのため、ウニ類の管足による対象物への接着は不十分になるため、生態的に不安定な足場を嫌がるウニ類は、流れが強いときには本発明装置を乗り越えようと試みることがないと予想される。このように本発明装置によるウニ類の移動の阻止効果は、流れの強い場合には、異なるプロセスによって強く機能することができる。
【００２６】
上記したように、本発明方法及びその装置により、所定の大きさ以上のウニ類の海藻群落を造成するコンクリートブロック等の施設や、海底の所定の区域への侵入を阻止することができる。
【００２７】
これにより、本発明に係るウニ類の移動阻止方法及びその装置を用いることにより、日本を含め世界各地に見られるようにウニ類によって持続されている磯焼け状態の海域に海藻群落の造成を実現することができる。また、海藻群落の造成の実現を通してウニ類やアワビ類の磯根資源の増加や海藻群落を生息場所や隠れ場、産卵場所、餌料とする多種多様な魚介類の資源増大といった沿海漁業資源への貢献、さらに海藻群落が持つ炭素固定能力による地球温暖化防止の一助や水質浄化作用による地球環境問題の改善を可能にする。さらに、海藻群落の造成だけではなく、本発明装置を用いて囲むように配置した所定の区域内から所定の大きさ以上のウニ類の移出を防止でき、所定の大きさ以上のウニ類の増養殖場を形成することができる。
【発明を実施するための最良の形態】
【００２８】
本発明に係るウニ類の移動阻止方法は、所定の大きさのウニ類がくぐり抜けたり、乗り越えたりしての移動ができないようにした移動阻止手段でもって所定の区域を囲み、この所定の区域内を藻類の育成場としたときには、この区域内に有害となる大きさの、すなわち海藻類に対して食害を与えるようになった所定以上の大きさのウニ類の侵入を阻止し、また上記所定の区域内をウニ類の増養殖場としたときには、この区域内にて所定の大きさ以上に成長したウニ類が外側へ逃げるのを阻止するようにしたものである。
【００２９】
そして上記所定の区域を囲む移動阻止手段の一例としては、コンクリートブロック等の基体に、所定の大きさのウニ類がくぐり抜けできない隙間ができる間隔で、細くて硬い棒を侵入しようとするウニ類にとって仰角となるように、すなわち阻止する側に傾斜させて、列状に立設してなる移動阻止器具がある。
【００３０】
以下に上記所定の区域を藻場とした場合の実施の形態を図面を参照して説明する。
【００３１】
図１は海底に沈設した藻場造成礁１の上面を藻場２としたもので、この藻場２にはあらかじめ着生場にて藻類の卵や若い配偶体を着生した基質プレート３が取り付けてあり、この基質プレート３を核として海藻４を育成するようにしている。
【００３２】
このときにおいて、上記藻場２に育成された成長中の海藻４は、海中のウニ類にとっての好餌であり、折角ある大きさに成長してもウニ類による食害にあって海藻の育成という初期の目的を達成することができなくなる。
【００３３】
そこで上記藻場２を、この藻場２への侵入を阻止したいウニ類、すなわち所定の大きさ以上のウニ類の移動を阻止可能にした移動阻止器具５にて取り囲む。このときのウニ類とは、主としてエゾバフンウニとキタムラサキウニを想定している。
【００３４】
図２から図６は、上記移動阻止器具５の一例を示すもので、これの平面形状が、例えば図１に示すように輪状になっている場合には、輪状に形成した基体６の上面に細くて硬い棒７を、所定の大きさ以上のウニ類がくぐり抜けることができない隙間を有して、列状に立設した構成になっている。そしてこの各棒７は、ウニ類の侵入を阻止する方向、すなわち藻場２に対して外側へ向けて傾斜されていて、ウニ類の侵入側に対して仰角となっている。このとき棒７の角度が侵入側に対して仰角とならない垂直の場合には、ウニ類が乗り越えてしまう可能性がある。
【００３５】
上記棒７のウニ類がくぐり抜けることができない隙間とは、侵入（移動）を阻止したい大きさのウニ類の少なくとも殻高より狭い隙間である。しかし、この棒間の隙間があまり狭いと、多数の棒７を連ねた面状になってしまい、ウニ類は管足を使ってこの面状部を登ることができるから、この棒列を越えて侵入を許してしまうことになる。
【００３６】
これらのことから、侵入（移動）を阻止したいウニ類の殻高が略１５ｍｍ程度の場合には、この棒７の間の隙間は１４ｍｍ程度であることが望ましい。なお、この隙間は、棒７が平行になっていれば棒７の全長にわたって平行になるが、棒７が傾斜していることと曲面状にした基体に立設する場合、この棒７は放射状になって先端側が広くなるが、上記好ましい隙間とはこの先端側の最大の隙間を意味するものである。
【００３７】
一方、棒７の立設角度（仰角）αは、上方へ向ける場合には水平から上方へ略３０度から６０度の範囲が好ましく、下方へ向ける場合には水平から下方へ４５度以上であることが望ましい。なお、この棒７が下方へ向いた場合でも、この棒７より下側に位置するウニ類にとっての棒７は、オーバハング状で仰角を有していることになる。
【００３８】
棒７は図３に示すように基体６の上面に、あるいは図５に示すように基体６の側面にそれぞれ立設することができる。そして基体６の上面に立設する場合には、水平から９０度を含まない角度までの範囲にわたる角度で立設する。また、基体６の側面に立設する場合には、上方へ９０度に近い角度から下方へ４５度を越える角度に立設することができる。なお、下向き角度で略５０度を越えると、基体６の側面と棒７との間の空間が小さくなって好ましくはないので、棒７の下方への角度を５０度〜９０度にする場合には、図６に示すように棒７に水平部７ａを設け、この水平部７ａの先端から下方へ向けて９０度まで任意の角度に設定できる。
【００３９】
基体６に整列して立設される棒７は、波やウニ類による力によって変形しない程度の硬い材料であることが必要である。またあまりその径が太いと、ウニ類が整列した棒７を藻場２の外側から管足にて掴んだ際に、その管足が棒７の先端に引っかかり、この管足を萎縮させて棒７の先端を乗り越えて内側に侵入してしまうことがある。このことから上記棒はあまり太くてはならず、その径は略０．５〜３．５ｍｍ程度が好ましい。また、これの材料は海中での耐食性がよいことによりステンレスが好ましい。なお、ステンレスとはいえ海水では塩化物イオンの影響により腐食が生じるので、そのままではあまり長期間の使用は好ましくなく、なるべく太くすると共に、亜鉛メッキ等を施して耐食加工を施すことが望ましい。
【００４０】
また、上記棒７は短すぎても長すぎてもよくない。例えば、整列して立設される棒７の長さが１０ｍｍと短い場合、大部分のウニ類は棘を操作して自身の体を進行方向逆側に傾けることにより進行方向側の体を持ち上げ、簡単に整列した棒７を乗り越えることができてしまう。一方、整列した棒７の長さがあまりに長い場合、立設された棒７によってウニ類の乗り越えの侵入を阻止することができるが、移動阻止器具５としての構造的頑健性の低下や生産コストの増加が考えられる。したがって、この棒の長さはウニ類が体を傾けても乗り越えられない最低限の長さに設定すべきである。好ましくは、整列して立設する棒７の長さは、侵入を阻止したいウニ類の殻長の２分の１に、そのウニ類の有する側方へ向かって付いている一番長い棘の長さを足した長さに、さらに略１０ｍｍ程度足した長さに設定するとよい。
【００４１】
例えば、殻長４０ｍｍのウニ類ならば、この棒の長さは短くとも、殻長の２分の１の２０ｍｍに、側方へ出ている一番長い棘のおよそ２０ｍｍを足し、それにさらに略１０ｍｍを加えた５０ｍｍ程度設定することが望ましい。
【００４２】
さらに棒７に用いたステンレス棒は、長期間海水中に設置しておくと、これの表面に無節サンゴ藻や小さく細い紅藻類（例えばイギス）、微細な繊毛虫類などの着生がみられはするが、それらが細かいステンレス棒上で本発明の機能に影響を与えるほど大きく成長することは考え難く、上記棒７にステンレス棒を用いることは、長期間の機能を維持する場合でも最も好ましいものと考えられる。
【００４３】
なお、上記構成の移動阻止器具５は、これの全体をステンレスから構成されているのが好ましい。基体５と棒７が一体である場合、その強度面からや海水からの防食手段を講じる際に都合がよい。しかし、棒部分だけが金属からなっており、それをつなぐ基体部分が他の材料、例えば上記したコンクリート以外に天然ゴム等のゴム材を用いてもよい。天然ゴムの場合、ステンレスと同様に付着物がほとんど付着しない。
【００４４】
また、この棒７の材料としては、上記した必要とする機能を果たすものであれば他の合金やプラスチック等、ステンレス以外の他の材料であってもよい。
【００４５】
図１に示した実施の形態では、藻場造成礁１の上面を大きく移動阻止器具５にて囲む例を示したが、図７に示すように小さな移動阻止器具５をいくつか用いて藻場造成礁１の上面の複数個所を囲むようにしてもよい。
【００４６】
上記移動阻止器具５は、図１に示したように一体状にしたものを用いてもよいが、図８に示すように部分的な長さの帯状移動阻止器具５ａを作り、これを公知の連結手段にて連結して、例えば図１に示すような所定の囲み形状の移動阻止器具５としてもよい。
【００４７】
図９は、複数の藻場造成礁１を設置した海底の一定区域を大きく囲んだ例を示すもので、この場合図８にて示した帯状移動阻止器具５ａを多数個用いて所定の形状の移動阻止器具５を作る。
【００４８】
またこのように海底の広い範囲を移動阻止器具５で囲う場合、この海底が起伏している場合、基体６が剛体ではこの起伏に追随しないので、図１０に示すように下端に鎖８等の錘を取り付けると共に、上端にフロート９をつけて垂直に垂れ下がる網１０の上端縁に基体６に棒７を多数立設してなる移動阻止器具５を取り付け、これで海底の所定の区域を囲むようにしてもよい。なお、上記錘に用いた鎖８を構成する環の大きさは、所定の大きさのウニ類が通り抜けないようにした大きさのものを用いる。
【００４９】
さらに、上記移動阻止器具５は、所定の区域に対して２重、３重に設けるようにしてもよい。
【００５０】
図１１から図１３は、上記移動阻止手段の他の実施の形態を示すもので、これは所定の区域の周囲に、この区域を構成する部材、例えば藻場造成礁１に所定の大きさのウニ類の移動を阻止する隙間で、かつ長さの多数の棒７を直接立設した構成になっている。そして図１１は藻場造成礁１の天板に、また図１２はこれの側面に、さらに図１３はこれの各脚１ａの周囲にそれぞれ棒７を立設した例である。
【００５１】
図１４はコ字形をしたコンクリートにて造成された港内の岸壁１１の開口部に、これを閉じるようにして帯状に構成した移動阻止器具５を設置して港内を藻場とした例である。この場合、岸壁１１の内側と外側は、棒７を外側へ傾斜させた移動阻止器具５にて仕切られるが、移動阻止器具５の両端が対向する岸壁の側壁部分Ｐにあっては、ウニ類がこの部分の岸壁の内面を伝わって登り降りすることによって、上記移動阻止器具５を乗り越えてしまうので、移動阻止器具５の両端が対向する部分Ｐの壁面１１ａ，１１ｂに他の移動阻止手段を一端を水上に出るようにして垂直状に取り付ける。この場合の壁面１１ａ，１１ｂに取り付ける移動阻止手段は、図１４、図１５に示すように棒７を外側へ傾斜させてなる移動阻止器具５を用いてもよく、あるいは棒７を直接壁面１１ａ，１１ｂに外側へ向けて傾斜して立設したものでもよい。
【００５２】
上記した実施の形態は、いずれも移動阻止手段の内側に設定した藻場２に外側からウニ類が侵入するのを阻止するようにした例を示したが、逆に図１６に示すように、移動阻止器具５の内側をウニ類１２の増養殖場１３とし、この増養殖場１３内から所定の大きさ以上のウニ類１２が逃げ出すのを移動阻止器具５にて防ぐようにした実施の形態もある。この場合の移動阻止器具５の棒７は内側に傾斜されている。
【００５３】
この実施の形態においては、移動阻止器具５の棒７の隙間より小さなウニ類がこの移動阻止器具５をくぐり抜けるため、増養殖場１３内にはこの移動阻止器具５をくぐり抜けできない大きさのウニ類のみを選択的に増養殖することができる。
【００５４】
なお、この内側から外側へのウニ類の移動を阻止するための移動阻止器具５にあっては、基体６に内側へ傾斜させて立設する棒７は、図１６に示すように基体６の上面に立設してもよいが、これの内側面に立設してもよい。
【００５５】
上記した各実施の形態において、移動阻止器具５の棒７の間の隙間は、所定の大きさ以上の大きさのウニ類がくぐり抜けできない隙間としたことにより、当然、上記大きさより小さいウニ類は、この移動阻止器具５の棒７の間をくぐり抜けて自由に出入りでき、例えば移動阻止器具５の内側の藻場内に入ってこの藻場内の海藻を摂食するが、これらの小さなウニ類ではあまり大きな食害とならないので問題にはならない。例えば、殻長が１３ｍｍ程度以下のウニ類では、大きな食害をもたらすとは考えにくく、従って殻長が１３ｍｍを超えない程度の大きさのウニ類の藻場への侵入は許容しても問題はない。そして殻長が１３ｍｍ程度のウニの殻高は略８ｍｍ程度なので、殻長が１３ｍｍ以上のウニ類のくぐり抜けを阻止するための隙間は略７ｍｍ以上の大きさとなる。
【００５６】
（試験例１）
（１）試験方法
縦、横、深さが２３０，９３，８０ｃｍの水槽に深さ３０ｃｍまで海水を入れた流水条件下の水槽に、図１７（ａ），（ｂ）に示した試験装置Ａと、図１８（ａ），（ｂ）に示した比較装置Ｂを設置した。そしてこの水槽内に殻長が３１．２〜６２．８ｍｍのムラサキウニ５０個体を入れ、水温が１３〜１８℃の条件下で比較試験を行った。このとき両装置Ａ，Ｂの円柱１４，１４の頂点中央部分にウニを誘導するための餌として大きさが４０×４０ｍｍのマコンブ葉片ａ，ｂを置いた。
【００５７】
上記試験装置Ａは、直径９０ｍｍ、高さ１２０ｍｍの天然ゴムからなる円柱１４の下面から１１０ｍｍの高さの側面に、円柱１４を一周するように太さが１．６ｍｍのステンレス棒１５を一列に４８本整列させて立設した。このステンレス棒１５は、円柱１４の側面に放射状に立設されているため、それらの棒と棒の間の隙間は、円柱１４に近いところでは狭く先端部では広くなっている。立設されたステンレス棒１５の突出長さは６０ｍｍで、上方４５度へ向けて配置されている。そしてこのときのステンレス棒１５の先端部の隙間は、水槽に入っている一番小さなウニの殻高よりわずかに狭い隙間の１１．４ｍｍにした。
【００５８】
一方、上記比較装置Ｂは試験装置Ａで用いたものと同じ円柱１４を用い、これに棒は一切取り付けなかった。
【００５９】
毎日１回以上の目視観察を行い、ウニがマコンブ葉片ａ，ｂにたどり着けるか、及びそれを摂食したか、を両装置Ａ，Ｂについて調べた。マコンブ葉片ａ，ｂは、２日ごとに新しいものに取り替えてこの水槽実験を２週間続けて行った。
【００６０】
（２）試験結果
試験開始からまもなくウニは試験装置Ａと比較装置Ｂの各円柱１４を登りはじめた。比較装置Ｂでは、ウニはすぐに円柱１４の頂点部に置いてあるマコンブ葉片ｂにたどり着き、摂食を開始した。次々にウニが葉片ｂに蝟集する様子が観察された。
【００６１】
これに対して試験装置Ａでは、ウニは円柱１４に取り付けられているステンレス棒１５を乗り越えることができず、登り口を探すかのように整列したステンレス棒１５の下側を廻り続けた。観察日２日目には比較装置Ｂ上のマコンブ葉片ｂは全て食べ尽くされていた。一方、試験装置Ａ上のマコンブ葉片ａには摂食跡は全く見られず、これにたどり着いているウニも観察されなかった。そして依然ウニは整列したステンレス棒１５の下に留まっている様子が観察された。その後の２週間の試験期間中に、試験装置Ａ上のマコンブ葉片ａが摂食される様子や、ウニがステンレス棒１５を乗り越える姿は全く観察されなかった。
【００６２】
（３）所見
上記の試験結果から、多数の細くて硬く、かつウニが乗り越えられない長さの棒をウニ類のくぐり抜けることができない程度の隙間にて整列させてなる器具は、ウニ類の侵入を阻止すべき海藻群類を造成するコンクリートブロック等の施設の外面（あるいは上面）に取り付けられることにより、ウニ類の這い上がり防止に極めて有用であることが示された。また、上記器具によりウニの侵入を阻止する方法は、ウニの侵入阻止に極めて有用であることが示された。なお、実際に海中で本発明器具を用いる際には、当然その場所や場合に応じた大きさのものと利用すべきである。
【００６３】
（試験例２）
（２）試験方法
縦、横、深さが２３０，９３，８０ｃｍの水槽に深さ３０ｃｍの海水を入れた流水条件下の水槽に、図１７（ａ），（ｂ）に示した試験装置Ａを設置した。そしてこの試験装置Ａのステンレス棒１５で囲まれた頂点中央部分に殻長が３５，４５，５５ｍｍの３個のキタムラサキウニを乗せ、このウニが試験装置Ａの内側から外側へ出ることができるかどうかについて観察した。水温は１６℃の条件下で試験を行った。
【００６４】
（２）試験結果
試験開始から２０分後には、ウニは試験装置の棒部分を乗り越えて外側へ出る個体が観察された。試験開始から２４時間後には、全ての個体が試験装置Ａ上に留まっていなかった。
【００６５】
（３）所見
上記試験の結果から試験例１にては、外側からウニの侵入を阻止できた試験装置Ａにおいて、同じような大きさのウニが試験装置Ａの棒列の内側から外側へ出ることができることが示された。これは、上記試験装置Ａの棒７が外側へ４５度傾斜していて、棒列の内側にいるウニにとって、この棒列の立設角度が俯角になっていることによるものである。
【図面の簡単な説明】
【００６６】
【図１】移動阻止器具を藻場造成礁に用いた例を示す斜視図である。
【図２】移動阻止器具を部分的に示す斜視図である。
【図３】移動阻止器具の断面図である。
【図４】移動阻止器具の一部正面図である。
【図５】基体の側面に棒を立設した例を示す説明図である。
【図６】基体の側面に棒を立設した例を示す説明図である。
【図７】藻場造成礁に小さな移動阻止器具を複数設置した例を示す斜視図である。
【図８】帯状に分割した移動阻止器具を示す斜視図である。
【図９】複数の藻場造成礁を移動阻止器具で囲んだ様子を示す斜視図である。
【図１０】移動阻止器具の他例を示す一部正面図である。
【図１１】藻場造成礁の上面に移動阻止手段となる棒を立設した例を示す斜視図である。
【図１２】藻場造成礁の側面に移動阻止手段となる棒を立設した例を示す斜視図である。
【図１３】藻場造成礁の脚部に移動阻止手段となる棒を立設した例を示す斜視図である。
【図１４】移動阻止器具の異なる使用例を示す平面図である。
【図１５】図１４のＰ部を示す拡大斜視図である。
【図１６】移動阻止器具をウニ類の増養殖場に用いた例を示す斜視図である。
【図１７】試験装置を示すもので（ａ）は正面図、（ｂ）は側面図である。
【図１８】比較装置を示すもので（ａ）は正面図、（ｂ）は側面図である。
【符号の説明】
【００６７】
１…藻場造成礁、１ａ…脚部、２…藻場、３…基質プレート、４…海藻、５…移動阻止器具、５ａ…帯状移動阻止器具、６…基体、７…棒、７ａ…棒の水平部、８…チェーン、９…フロート、１０…網、１１…岸壁、１１ａ，１１ｂ…壁面、１２…ウニ類、１３…増養殖場、１４…円柱、１５…ステンレス棒、Ａ…試験装置、Ｂ…比較装置。
【図１】
2008173059.tif 000003
【図２】
2008173059.tif 000004
【図３】
2008173059.tif 000005
【図４】
2008173059.tif 000006
【図５】
2008173059.tif 000007
【図６】
2008173059.tif 000008
【図７】
2008173059.tif 000009
【図８】
2008173059.tif 000010
【図９】
2008173059.tif 000011
【図１０】
2008173059.tif 000012
【図１１】
2008173059.tif 000013
【図１２】
2008173059.tif 000014
【図１３】
2008173059.tif 000015
【図１４】
2008173059.tif 000016
【図１５】
2008173059.tif 000017
【図１６】
2008173059.tif 000018
【図１７】
2008173059.tif 000019
【図１８】
2008173059.tif 000020
【手続補正書】
【提出日】平成19年5月21日(2007.5.21)
【手続補正１】
【補正対象書類名】特許請求の範囲
【補正対象項目名】全文
【補正方法】変更
【補正の内容】
【特許請求の範囲】
【請求項１】
径が０．５〜３．５ｍｍの耐食性を有する硬い棒を、相互の隙間を略７ｍｍから殻長が１３ｍｍ以上の大きさで、移動を阻止したい大きさのウニ類の殻高より狭い隙間にすると共に、水平から上方へ略３０〜６０度の範囲の角度に傾斜し、さらに突出長さを短くとも上記ウニ類の殻長の２分の１に側方へ出ている１番長い棘の長さを足し、それに略１０ｍｍ加えた長さにして列状に多数立設してなる移動阻止手段にて所定の区域を囲み、
この移動阻止手段の棒の傾斜した角度が仰角となる側の区域から他側の区域へのウニ類の移動を阻止するようにした
ことを特徴とするウニ類の移動阻止方法。
【請求項２】
移動阻止手段の棒の傾斜した側を外側にして、内側に設けた藻場への所定以上の大きさのウニ類の移動を阻止するようにし、または棒の傾斜した側を内側にして内側に設けたウニ類の増養殖場から所定以上の大きさのウニ類が外側へ移動するのを阻止するようにしたことを特徴とする請求項１記載のウニ類の移動阻止方法。
【請求項３】
径が０．５〜３．５ｍｍの耐食性を有する硬い棒を、相互の隙間を略７ｍｍから殻長が１３ｍｍ以上の大きさで、移動を阻止したいウニ類の殻高より狭い隙間にすると共に、水平から上方へ略３０〜６０度の範囲の角度に傾斜し、さらに突出長さを短くとも上記ウニ類の殻長の２分の１に側方へ出ている１番長い棘の長さを足し、それに略１０ｍｍ加えた長さにして列状に多数立設してなり、所定の区域を囲むようにした
ことを特徴とするウニ類の移動阻止装置。
【請求項４】
棒を海底に設置する藻場造成礁、あるいはウニ類の増養殖場に立設したことを特徴とする請求項３記載のウニ類の移動阻止装置。
【請求項５】
基体の上面あるいは側面に、径が略０．５〜３．５ｍｍの耐食性を有する硬い棒を、相互の隙間を略７ｍｍから殻長が１３ｍｍ以上の大きさで、移動を阻止したいウニ類の殻高より狭い隙間にすると共に、水平から上方へ略３０〜６０度の範囲の角度に傾斜し、さらに突出長さを短くとも上記ウニ類の殻長の２分の１に側方へ出ている１番長い棘の長さを足し、それに略１０ｍｍ加えた長さにして列状に多数立設してなる移動阻止器具にて所定の区域を囲むようにした
ことを特徴とするウニ類の移動阻止装置。
【請求項６】
移動阻止器具を複数の帯状移動阻止器具にて構成したことを特徴とする請求項５記載のウニ類の移動阻止装置。
【手続補正２】
【補正対象書類名】明細書
【補正対象項目名】００１５
【補正方法】変更
【補正の内容】
【００１５】
上記目的を達成するために、本発明に係るウニ類の移動阻止方法は、径が０．５〜３．５ｍｍの耐食性を有する硬い棒を、相互の隙間を略７ｍｍから殻長が１３ｍｍ以上の大きさで、移動を阻止したい大きさのウニ類の殻高より狭い隙間にすると共に、水平から上方へ略３０〜６０度の範囲の角度に傾斜し、さらに突出長さを短くとも上記ウニ類の殻長の２分の１に側方へ出ている１番長い棘の長さを足し、それに略１０ｍｍ加えた長さにして列状に多数立設してなる移動阻止手段にて所定の区域を囲み、この移動阻止手段の棒の傾斜した角度が仰角となる側の区域から他側の区域へのウニ類の移動を阻止するようにした。
【手続補正３】
【補正対象書類名】明細書
【補正対象項目名】００１７
【補正方法】変更
【補正の内容】
【００１７】
そして上記方法を実施するためのウニ類の移動阻止装置は、径が略０．５〜３．５ｍｍの耐食性を有する硬い棒を、相互の隙間を略７ｍｍから殻長が１３ｍｍ以上の大きさで、移動を阻止したいウニ類の殻高より狭い隙間にすると共に、水平から上方へ略３０〜６０度の範囲の角度に傾斜し、さらに突出長さを短くとも上記ウニ類の殻長の２分の１に側方へ出ている１番長い棘の長さを足し、それに略１０ｍｍ加えた長さにして列状に多数立設してなり、所定の区域を囲むようにした構成になっている。
【手続補正４】
【補正対象書類名】明細書
【補正対象項目名】００１９
【補正方法】変更
【補正の内容】
【００１９】
また、上記ウニ類の移動阻止装置は、基体の上面あるいは側面に、径が略０．５〜３．５ｍｍの耐食性を有する硬い棒を、相互の隙間を略７ｍｍから殻長が１３ｍｍ以上の大きさで、移動を阻止したいウニ類の殻高より狭い隙間にすると共に、水平から上方へ略３０〜６０度の範囲の角度に傾斜し、さらに突出長さを短くとも上記ウニ類の殻長の２分の１に側方へ出ている１番長い棘の長さを足し、それに略１０ｍｍ加えた長さにして列状に多数立設してなる移動阻止器具にて所定の区域を囲むようにした構成になっている。そして上記移動阻止器具を複数の帯状移動阻止器具にて構成した。
【手続補正５】
【補正対象書類名】明細書
【補正対象項目名】００３４
【補正方法】変更
【補正の内容】
【００３４】
図２から図４は、上記移動阻止器具５の一例を示すもので、これの平面形状が、例えば図１に示すように輪状になっている場合には、輪状に形成した基体６の上面に細くて硬い棒７を、所定の大きさ以上のウニ類がくぐり抜けることができない隙間を有して、列状に立設した構成になっている。そしてこの各棒７は、ウニ類の侵入を阻止する方向、すなわち藻場２に対して外側へ向けて傾斜されていて、ウニ類の侵入側に対して仰角となっている。このとき棒７の角度が侵入側に対して仰角とならない垂直の場合には、ウニ類が乗り越えてしまう可能性がある。
【手続補正６】
【補正対象書類名】明細書
【補正対象項目名】００３７
【補正方法】変更
【補正の内容】
【００３７】
一方、棒７の立設角度（仰角）αは、上方へ向ける場合には水平から上方へ略３０度から６０度の範囲が好ましい。
【手続補正７】
【補正対象書類名】明細書
【補正対象項目名】００３８
【補正方法】変更
【補正の内容】
【００３８】
棒７は図３に示すように基体６の上面に、あるいは図１２に示すように基体６の側面にそれぞれ立設することができる。なお、図１２は後述する実験例１の試験装置Ａを示すものである。
【手続補正８】
【補正対象書類名】明細書
【補正対象項目名】００４５
【補正方法】変更
【補正の内容】
【００４５】
図１に示した実施の形態では、藻場造成礁１の上面を大きく移動阻止器具５にて囲む例を示したが、図５に示すように小さな移動阻止器具５をいくつか用いて藻場造成礁１の上面の複数個所を囲むようにしてもよい。
【手続補正９】
【補正対象書類名】明細書
【補正対象項目名】００４６
【補正方法】変更
【補正の内容】
【００４６】
上記移動阻止器具５は、図１に示したように一体状にしたものを用いてもよいが、図６に示すように部分的な長さの帯状移動阻止器具５ａを作り、これを公知の連結手段にて連結して、例えば図１に示すような所定の囲み形状の移動阻止器具５としてもよい。
【手続補正１０】
【補正対象書類名】明細書
【補正対象項目名】００４７
【補正方法】変更
【補正の内容】
【００４７】
図７は、複数の藻場造成礁１を設置した海底の一定区域を大きく囲んだ例を示すもので、この場合図６にて示した帯状移動阻止器具５ａを多数個用いて所定の形状の移動阻止器具５を作る。
【手続補正１１】
【補正対象書類名】明細書
【補正対象項目名】００４８
【補正方法】削除
【補正の内容】
【手続補正１２】
【補正対象書類名】明細書
【補正対象項目名】００５０
【補正方法】変更
【補正の内容】
【００５０】
図８は、上記移動阻止手段の他の実施の形態を示すもので、これは所定の区域の周囲に、この区域を構成する部材、例えば藻場造成礁１に所定の大きさのウニ類の移動を阻止する隙間で、かつ長さの多数の棒７を直接立設した構成になっている。そしてこの棒７は藻場造成礁１の天板以外にこれの側面に、さらにこれの各脚の周囲にそれぞ立設してもよい。
【手続補正１３】
【補正対象書類名】明細書
【補正対象項目名】００５１
【補正方法】変更
【補正の内容】
【００５１】
図９はコ字形をしたコンクリートにて造成された港内の岸壁１１の開口部に、これを閉じるようにして帯状に構成した移動阻止器具５を設置して港内を藻場とした例である。この場合、岸壁１１の内側と外側は、棒７を外側へ傾斜させた移動阻止器具５にて仕切られるが、移動阻止器具５の両端が対向する岸壁の側壁部分Ｐにあっては、ウニ類がこの部分の岸壁の内面を伝わって登り降りすることによって、上記移動阻止器具５を乗り越えてしまうので、移動阻止器具５の両端が対向する部分Ｐの壁面１１ａ，１１ｂに他の移動阻止手段を一端を水上に出るようにして垂直状に取り付ける。この場合の壁面１１ａ，１１ｂに取り付ける移動阻止手段は、図９、図１０に示すように棒７を外側へ傾斜させてなる移動阻止器具５を用いてもよく、あるいは棒７を直接壁面１１ａ，１１ｂに外側へ向けて傾斜して立設したものでもよい。
【手続補正１４】
【補正対象書類名】明細書
【補正対象項目名】００５２
【補正方法】変更
【補正の内容】
【００５２】
上記した実施の形態は、いずれも移動阻止手段の内側に設定した藻場２に外側からウニ類が侵入するのを阻止するようにした例を示したが、逆に図１１に示すように、移動阻止器具５の内側をウニ類１２の増養殖場１３とし、この増養殖場１３内から所定の大きさ以上のウニ類１２が逃げ出すのを移動阻止器具５にて防ぐようにした実施の形態もある。この場合の移動阻止器具５の棒７は内側に傾斜されている。
【手続補正１５】
【補正対象書類名】明細書
【補正対象項目名】００５４
【補正方法】変更
【補正の内容】
【００５４】
なお、この内側から外側へのウニ類の移動を阻止するための移動阻止器具５にあっては、基体６に内側へ傾斜させて立設する棒７は、図１１に示すように基体６の上面に立設してもよいが、これの内側面に立設してもよい。
【手続補正１６】
【補正対象書類名】明細書
【補正対象項目名】００５６
【補正方法】変更
【補正の内容】
【００５６】
（試験例１）
（１）試験方法
縦、横、深さが２３０，９３，８０ｃｍの水槽に深さ３０ｃｍまで海水を入れた流水条件下の水槽に、図１２（ａ），（ｂ）に示した試験装置Ａと、図１３（ａ），（ｂ）に示した比較装置Ｂを設置した。そしてこの水槽内に殻長が３１．２〜６２．８ｍｍのムラサキウニ５０個体を入れ、水温が１３〜１８℃の条件下で比較試験を行った。このとき両装置Ａ，Ｂの円柱１４，１４の頂点中央部分にウニを誘導するための餌として大きさが４０×４０ｍｍのマコンブ葉片ａ，ｂを置いた。
【手続補正１７】
【補正対象書類名】明細書
【補正対象項目名】００６３
【補正方法】変更
【補正の内容】
【００６３】
（試験例２）
（２）試験方法
縦、横、深さが２３０，９３，８０ｃｍの水槽に深さ３０ｃｍの海水を入れた流水条件下の水槽に、図１２（ａ），（ｂ）に示した試験装置Ａを設置した。そしてこの試験装置Ａのステンレス棒１５で囲まれた頂点中央部分に殻長が３５，４５，５５ｍｍの３個のキタムラサキウニを乗せ、このウニが試験装置Ａの内側から外側へ出ることができるかどうかについて観察した。水温は１６℃の条件下で試験を行った。
【手続補正１８】
【補正対象書類名】明細書
【補正対象項目名】００６６
【補正方法】変更
【補正の内容】
【００６６】
【図１】移動阻止器具を藻場造成礁に用いた例を示す斜視図である。
【図２】移動阻止器具を部分的に示す斜視図である。
【図３】移動阻止器具の断面図である。
【図４】移動阻止器具の一部正面図である。
【図５】藻場造成礁に小さな移動阻止器具を複数設置した例を示す斜視図である。
【図６】帯状に分割した移動阻止器具を示す斜視図である。
【図７】複数の藻場造成礁を移動阻止器具で囲んだ様子を示す斜視図である。
【図８】藻場造成礁の上面に移動阻止手段となる棒を立設した例を示す斜視図である。
【図９】移動阻止器具の異なる使用例を示す平面図である。
【図１０】図９のＰ部を示す拡大斜視図である。
【図１１】移動阻止器具をウニ類の増養殖場に用いた例を示す斜視図である。
【図１２】試験装置を示すもので（ａ）は正面図、（ｂ）は側面図である。
【図１３】比較装置を示すもので（ａ）は正面図、（ｂ）は側面図である。
【手続補正１９】
【補正対象書類名】明細書
【補正対象項目名】００６７
【補正方法】変更
【補正の内容】
【００６７】
１…藻場造成礁、２…藻場、３…基質プレート、４…海藻、５…移動阻止器具、５ａ…帯状移動阻止器具、６…基体、７…棒、７ａ…棒の水平部、１１…岸壁、１１ａ，１１ｂ…壁面、１２…ウニ類、１３…増養殖場、１４…円柱、１５…ステンレス棒、Ａ…試験装置、Ｂ…比較装置、ａ，ｂ…マコンブ葉片。
【手続補正２０】
【補正対象書類名】図面
【補正対象項目名】全図
【補正方法】変更
【補正の内容】
【図１】
2008173059.tif 000021
【図２】
2008173059.tif 000022
【図３】
2008173059.tif 000023
【図４】
2008173059.tif 000024
【図５】
2008173059.tif 000025
【図６】
2008173059.tif 000026
【図７】
2008173059.tif 000027
【図８】
2008173059.tif 000028
【図９】
2008173059.tif 000029
【図１０】
2008173059.tif 000030
【図１１】
2008173059.tif 000031
【図１２】
2008173059.tif 000032
【図１３】
2008173059.tif 000033